(57)【要約】【課題】圧縮機の損傷等を回避しつつ利用側回路から熱源側回路へ冷媒を回収し、利用側回路から漏洩する冷媒の量を確実に削減する。【解決手段】室外回路（40）の液側配管（47）に、室外膨張弁（44）を設ける。また、室外回路（40）に、液側配管（47）を圧縮機（41）の吸入側と連通させるための液側バイパス配管（50）を設ける。室外制御器（80）は、室内回路（60）から冷媒が漏れたことを示す信号を受信すると、液側制御弁（44）を閉じた状態で圧縮機（41）を作動させる冷媒回収制御動作を行うと共に、この冷媒回収制御動作において、液側バイパス配管（50）の液側バイパス弁（51）を開く弁制御動作を行う。【選択図】図１
2019074222.tif 000002
【特許請求の範囲】
【請求項１】
圧縮機（41）及び熱源側熱交換器（43）が設けられた熱源側回路（40）と、利用側熱交換器（61）が設けられた利用側回路（60）とを有する冷媒回路（30）を備え、
上記熱源側熱交換器（43）が放熱器となって上記利用側熱交換器（61）が蒸発器となる冷凍サイクルを上記冷媒回路（30）において行う冷却運転を実行可能な冷凍装置であって、
上記熱源側回路（40）は、
上記冷却運転中に上記熱源側熱交換器（43）から上記利用側熱交換器（61）へ向かって冷媒が流れる液側配管（47）に設けられた液側制御弁（44,55）と、
上記液側配管（47）における上記熱源側熱交換器（43）と上記液側制御弁（44,55）の間の部分を上記圧縮機（41）の吸入側と連通させるための液側バイパス配管（50）と、
上記液側バイパス配管（50）に設けられた液側バイパス弁（51）とを有する一方、
上記利用側回路（60）から冷媒が漏洩したことを示す漏洩信号を受信すると、上記利用側回路（60）の冷媒を上記熱源側回路（40）へ回収するために、上記液側制御弁（44,55）を閉じた状態で圧縮機（41）を作動させる冷媒回収制御動作を行うように構成された制御器（80）を備え、
上記制御器（80）は、上記冷媒回収制御動作において、上記液側バイパス弁（51）を開く弁制御動作を行うように構成されている
ことを特徴とする冷凍装置。
【請求項２】
請求項１において、
上記熱源側回路（40）は、
上記圧縮機（41）の吐出側を上記圧縮機（41）の吸入側と連通させるためのガス側バイパス配管（52）と、
上記ガス側バイパス配管（52）に設けられたガス側バイパス弁（53）とを有している
ことを特徴とする冷凍装置。
【請求項３】
請求項１又は２において、
上記制御器（80）は、上記圧縮機（41）へ吸入される冷媒がガス単相状態となるように上記液側バイパス弁（51）の開度を調節する動作を、上記弁制御動作として行うように構成されている
ことを特徴とする冷凍装置。
【請求項４】
請求項１又は２において、
上記制御器（80）は、上記圧縮機（41）から吐出される冷媒の過熱度が所定値以上となるように上記液側バイパス弁（51）の開度を調節する動作を、上記弁制御動作として行うように構成されている
ことを特徴とする冷凍装置。
【請求項５】
請求項２において、
上記液側バイパス弁（51）は、開状態における開度が可変の弁であり、
上記ガス側バイパス弁（53）は、開状態における開度が固定の弁であり、
上記制御器（80）は、上記圧縮機（41）へ吸入される冷媒がガス単相状態となるように上記液側バイパス弁（51）の開度を調節する動作と、上記ガス側バイパス弁（53）を開く動作とを、上記弁制御動作として行うように構成されている
ことを特徴とする冷凍装置。
【請求項６】
請求項２において、
上記液側バイパス弁（51）は、開状態における開度が可変の弁であり、
上記ガス側バイパス弁（53）は、開状態における開度が固定の弁であり、
上記制御器（80）は、上記圧縮機（41）から吐出される冷媒の過熱度が所定値以上となるように上記液側バイパス弁（51）の開度を調節する動作と、上記ガス側バイパス弁（53）を開く動作とを、上記弁制御動作として行うように構成されている
ことを特徴とする冷凍装置。
【請求項７】
請求項１乃至６のいずれか一つにおいて、
上記制御器（80）は、上記冷媒回収制御動作において、上記圧縮機（41）へ吸入される冷媒の圧力が大気圧よりも高い所定の目標圧力となるように、上記圧縮機（41）の運転容量を調節するように構成されている
ことを特徴とする冷凍装置。
【請求項８】
請求項１乃至７のいずれか一つにおいて、
上記熱源側回路（40）は、上記圧縮機（41）の吐出側を上記熱源側熱交換器（43）に連通させ且つ上記圧縮機（41）の吸入側を上記利用側回路（60）に連通させる第１状態と、上記圧縮機（41）の吐出側を上記利用側回路（60）に連通させ且つ上記圧縮機（41）の吸入側を上記熱源側熱交換器（43）に連通させる第２状態とに切り換わる四方切換弁（42）を有し、
上記制御器（80）は、上記冷媒回収制御動作において、上記四方切換弁（42）を上記第１状態に設定するように構成され、
上記液側バイパス配管（50）は、上記四方切換弁（42）を上記利用側回路（60）と連通させるための配管（48）に接続されている
ことを特徴とする冷凍装置。
【請求項９】
請求項１乃至８のいずれか一つにおいて、
上記熱源側回路（40）は、上記液側バイパス配管（50）における上記液側バイパス弁（51）と上記液側配管（47）の間に配置されて冷媒を貯留する容器部材（57）を有している
ことを特徴とする冷凍装置。
【請求項１０】
請求項１乃至９のいずれか一つにおいて、
上記熱源側回路（40）は、上記冷却運転中に上記利用側回路（60）から上記圧縮機（41）へ向かって冷媒が流れる配管（48）に設けられたガス側制御弁（56）を有し、
上記制御器（80）は、上記冷媒回収制御動作の終了条件が成立すると、上記ガス側制御弁（56）を閉じて上記圧縮機（41）を停止させるように構成されている
ことを特徴とする冷凍装置。
【発明の詳細な説明】
【技術分野】
【０００１】
本発明は、冷媒回路において冷媒を循環させて冷凍サイクルを行う冷凍装置に関するものである。
【背景技術】
【０００２】
従来より、冷媒回路において冷媒を循環させて冷凍サイクルを行う冷凍装置が知られている。特許文献１には、冷凍装置の一種であるセパレートタイプの空調機が開示されている。
【０００３】
ところで、冷凍装置の設置状況によっては、冷媒回路を構成する配管や熱交換器を構成する伝熱管が腐食する。そして、腐食によって配管や伝熱管に孔が開き、その孔から冷媒が漏洩する場合がある。
【０００４】
冷凍サイクル用の冷媒としては、いわゆるフロン冷媒が広く用いられている。フロン冷媒は、地球温暖化係数（ＧＷＰ：Global Warming Potential）の比較的高いものが多い。このため、地球の温暖化を抑える観点から、冷媒回路から漏洩する冷媒の量は、できるだけ少なくするのが望ましい。
【０００５】
また、冷凍サイクル用の冷媒としては、例えばＨＦＣ―３２のような微燃性を有する物質が用いられる場合がある。このような僅かながら燃焼性のある冷媒が閉空間へ漏洩すると、漏洩した冷媒が発火する可能性がある。このため、安全性の観点からも、冷媒回路から漏洩する冷媒の量は、できるだけ少なくするのが望ましい。
【０００６】
特許文献１に記載された空調機は、冷媒回路から漏洩する冷媒の量を少なく抑えるための動作を行うように構成されている。この空調機の室外機には、液側の連絡配管に接続する液側配管と、ガス側の連絡配管に接続するガス側配管とのそれぞれに、制御弁が設けられる。そして、この空調機は、室内への冷媒の漏洩を検知すると、冷媒回収運転を行う。
【０００７】
冷媒回収運転中の空調機は、いわゆるポンプダウンを行って室内機の冷媒を室外機へ回収する。具体的に、この空調機は、四方弁を冷房運転時の状態に設定し、液側配管の制御弁を閉じた状態で圧縮機を作動させ、圧縮機が室内機から吸引して圧縮した冷媒を室外熱交換器において凝縮させてレシーバ等に貯留する。そして、この空調機は、ポンプダウンの終了条件（例えば、ポンプダウンの継続時間が所定値に達する、又は圧縮機の吸入圧力が所定の基準値を下回る）が成立すると、ガス側配管の制御弁を閉じて圧縮機を停止させる。その結果、室内機の冷媒は、室外機へ回収されて室外機に封入された状態となる。
【先行技術文献】
【特許文献】
【０００８】
【特許文献１】特開平１０−００９６９２号公報
【発明の概要】
【発明が解決しようとする課題】
【０００９】
いわゆるポンプダウンは、熱源側回路から利用側回路へ向かう冷媒の流れを弁等で遮断した状態で、利用側回路の冷媒を圧縮機へ吸入させる運転である。このため、ポンプダウン中は、圧縮機の吸入圧力（即ち、圧縮機へ吸入される冷媒の圧力）が次第に低下してゆく一方、圧縮機の吐出圧力（即ち、圧縮機へ吐出された冷媒の圧力）が次第に上昇する。このため、ポンプダウン中には、圧縮機の吸入圧力と吐出圧力の差が拡大し、圧縮機の吐出温度（即ち、圧縮機から吐出された冷媒の温度）が次第に上昇する。
【００１０】
圧縮機の吐出温度がある程度以上（例えば、１３５℃以上）に達すると、圧縮機自体の損傷や、圧縮機に貯留された冷凍機油の劣化等の問題が生じる。このため、従来の冷凍装置では、圧縮機の吐出温度がある程度以下に抑えられるようにポンプダウンの終了条件を設定する必要があり、利用側回路に比較的多くの冷媒が残っているにも拘わらずポンプダウンが終了してしまい、利用側回路の冷媒を熱源側回路へ充分に回収できないおそれがあった。
【００１１】
本発明は、かかる点に鑑みてなされたものであり、その目的は、圧縮機の損傷等を回避しつつ利用側回路から熱源側回路へ冷媒の回収を行い、冷媒漏洩が生じた際に利用側回路から漏洩する冷媒の量を確実に削減することにある。
【課題を解決するための手段】
【００１２】
第１の発明は、圧縮機（41）及び熱源側熱交換器（43）が設けられた熱源側回路（40）と、利用側熱交換器（61）が設けられた利用側回路（60）とを有する冷媒回路（30）を備え、上記熱源側熱交換器（43）が放熱器となって上記利用側熱交換器（61）が蒸発器となる冷凍サイクルを上記冷媒回路（30）において行う冷却運転を実行可能な冷凍装置を対象とする。そして、上記熱源側回路（40）は、上記冷却運転中に上記熱源側熱交換器（43）から上記利用側熱交換器（61）へ向かって冷媒が流れる液側配管（47）に設けられた液側制御弁（44,55）と、上記液側配管（47）における上記熱源側熱交換器（43）と上記液側制御弁（44,55）の間の部分を上記圧縮機（41）の吸入側と連通させるための液側バイパス配管（50）と、上記液側バイパス配管（50）に設けられた液側バイパス弁（51）とを有する一方、上記利用側回路（60）から冷媒が漏洩したことを示す漏洩信号を受信すると、上記利用側回路（60）の冷媒を上記熱源側回路（40）へ回収するために、上記液側制御弁（44,55）を閉じた状態で圧縮機（41）を作動させる冷媒回収制御動作を行うように構成された制御器（80）を備え、上記制御器（80）は、上記冷媒回収制御動作において、上記液側バイパス弁（51）を開く弁制御動作を行うように構成されるものである。
【００１３】
第１の発明では、冷凍装置（10）の冷媒回路（30）に、熱源側回路（40）と利用側回路（60）とが設けられる。冷凍装置（10）の冷却運転では、熱源側熱交換器（43）が放熱器として機能し且つ利用側熱交換器（61）が蒸発器として機能する冷凍サイクルが、冷媒回路（30）において行われる。
【００１４】
第１の発明において、制御器（80）は、漏洩信号を受信すると冷媒回収制御動作を行う。漏洩信号は、利用側回路（60）から冷媒が漏洩したことを示す信号であって、例えば冷媒センサ等から制御器（80）へ送信される。制御器（80）の冷媒回収制御動作では、液側制御弁（44,55）が閉状態となり、圧縮機（41）が作動する。そして、熱源側回路（40）から利用側回路（60）へ向かう冷媒の流れが液側制御弁（44,55）によって遮断される一方、利用側回路（60）の冷媒が圧縮機（41）へと吸引されて熱源側回路（40）へ回収される。
【００１５】
第１の発明の制御器（80）は、冷媒回収制御動作において、弁制御動作を行う。弁制御動作によって液側バイパス配管（50）が開いた状態において、圧縮機（41）は、利用側回路（60）から熱源側回路（40）へ流入した冷媒と共に、液側バイパス配管（50）を流れる冷媒を吸入する。つまり、利用側回路（60）から熱源側回路（40）へ回収された冷媒の一部が、液側バイパス配管（50）を通って圧縮機（41）へ吸入されることになる。そして、液側バイパス配管（50）を流れる冷媒を、利用側回路（60）から熱源側回路（40）へ流入した冷媒と共に圧縮機（41）へ吸入させることによって、圧縮機（41）の吸入圧力をある程度以上に保ち続けることが可能となる。従って、この発明では、液側制御弁（44,55）が閉じた状態において、圧縮機（41）を長時間に亘って作動させ続けることが可能となる。
【００１６】
第２の発明は、上記第１の発明において、上記熱源側回路（40）は、上記圧縮機（41）の吐出側を上記圧縮機（41）の吸入側と連通させるためのガス側バイパス配管（52）と、上記ガス側バイパス配管（52）に設けられたガス側バイパス弁（53）とを有するものである。
【００１７】
第２の発明では、熱源側回路（40）にガス側バイパス配管（52）及びガス側バイパス弁（53）が設けられる。ガス側バイパス弁（53）が開いた状態では、圧縮機（41）から吐出された冷媒の少なくとも一部が、ガス側バイパス配管（52）を通って圧縮機（41）へ再び吸入される。
【００１８】
第３の発明は、上記第１又は第２の発明において、上記制御器（80）は、上記圧縮機（41）へ吸入される冷媒がガス単相状態となるように上記液側バイパス弁（51）の開度を調節する動作を、上記弁制御動作として行うように構成されるものである。
【００１９】
第３の発明において、漏洩信号を受信した制御器（80）は、冷媒回収制御動作中に行う弁制御動作において、液側バイパス弁（51）の開度を調節する。この制御器（80）の動作によって、圧縮機（41）へ吸入される冷媒がガス単相状態に保たれる。
【００２０】
第４の発明は、上記第１又は第２の発明において、上記制御器（80）は、上記圧縮機（41）から吐出される冷媒の過熱度が所定値以上となるように上記液側バイパス弁（51）の開度を調節する動作を、上記弁制御動作として行うように構成されるものである。
【００２１】
第４の発明において、漏洩信号を受信した制御器（80）は、冷媒回収制御動作中に行う弁制御動作において、液側バイパス弁（51）の開度を調節する。この制御器（80）の動作によって、上記圧縮機（41）から吐出される冷媒の過熱度が所定値以上に保たれる。
【００２２】
第５の発明は、上記第２の発明において、上記液側バイパス弁（51）は、開状態における開度が可変の弁であり、上記ガス側バイパス弁（53）は、開状態における開度が固定の弁であり、上記制御器（80）は、上記圧縮機（41）へ吸入される冷媒がガス単相状態となるように上記液側バイパス弁（51）の開度を調節する動作と、上記ガス側バイパス弁（53）を開く動作とを、上記弁制御動作として行うように構成されるものである。
【００２３】
第５の発明において、漏洩信号を受信した制御器（80）は、冷媒回収制御動作中に行う弁制御動作として、液側バイパス弁（51）の開度を調節する動作と、ガス側バイパス弁（53）を開く動作とを行う。この制御器（80）の弁制御動作によって、圧縮機（41）へ吸入される冷媒がガス単相状態に保たれる。
【００２４】
第６の発明は、上記第２の発明において、上記液側バイパス弁（51）は、開状態における開度が可変の弁であり、上記ガス側バイパス弁（53）は、開状態における開度が固定の弁であり、上記制御器（80）は、上記圧縮機（41）から吐出される冷媒の過熱度が所定値以上となるように上記液側バイパス弁（51）の開度を調節する動作と、上記ガス側バイパス弁（53）を開く動作とを、上記弁制御動作として行うように構成されるものである。
【００２５】
第６の発明において、漏洩信号を受信した制御器（80）は、冷媒回収制御動作中に行う弁制御動作として、液側バイパス弁（51）の開度を調節する動作と、ガス側バイパス弁（53）を開く動作とを行う。この制御器（80）の弁制御動作によって、圧縮機（41）から吐出される冷媒の過熱度が所定値以上に保たれる。
【００２６】
第７の発明は、上記第１〜第６のいずれか一つの発明において、上記制御器（80）は、上記冷媒回収制御動作において、上記圧縮機（41）へ吸入される冷媒の圧力が大気圧よりも高い所定の目標圧力となるように、上記圧縮機（41）の運転容量を調節するように構成されるものである。
【００２７】
第７の発明では、冷媒回収動作を行う制御器（80）が圧縮機（41）の運転容量を調節することによって、利用側回路（60）の圧力が大気圧よりも高い目標圧力に保たれる。このため、利用側回路（60）が損傷している状態においても、利用側回路（60）の損傷箇所から空気が冷媒回路（30）内へ流入することは無い。
【００２８】
第８の発明は、上記第１〜第７のいずれか一つの発明において、上記熱源側回路（40）は、上記圧縮機（41）の吐出側を上記熱源側熱交換器（43）に連通させ且つ上記圧縮機（41）の吸入側を上記利用側回路（60）に連通させる第１状態と、上記圧縮機（41）の吐出側を上記利用側回路（60）に連通させ且つ上記圧縮機（41）の吸入側を上記熱源側熱交換器（43）に連通させる第２状態とに切り換わる四方切換弁（42）を有し、上記制御器（80）は、上記冷媒回収制御動作において、上記四方切換弁（42）を上記第１状態に設定するように構成され、上記液側バイパス配管（50）は、上記四方切換弁（42）を上記利用側回路（60）と連通させるための配管（48）に接続されるものである。
【００２９】
第８の発明において、漏洩信号を受信した制御器（80）は、その冷媒回収動作において、四方切換弁（42）を第１状態に設定する。その結果、圧縮機（41）は、利用側回路（60）から冷媒を吸入し、熱源側熱交換器（43）へ向けて冷媒を吐出する。熱源側回路（40）では、四方切換弁（42）を利用側回路（60）と連通させるための配管（48）に、液側バイパス配管（50）が接続される。制御器（80）が冷媒回収制御動作中に行う弁制御動作によって液側バイパス弁（51）が開かれた状態において、液側バイパス配管（50）を流れる冷媒は、利用側回路（60）から熱源側回路（40）の配管（48）へ流入した冷媒と合流した後に四方切換弁（42）を通過して圧縮機（41）へ吸入される。このため、制御器（80）の冷媒回収制御動作によって圧縮機（41）が起動してからある程度の時間が経過した以降は、利用側回路（60）の冷媒が圧縮機（41）へ吸入される冷媒とほぼ同じ状態に保たれる。
【００３０】
第９の発明は、上記第１〜第８のいずれか一つの発明において、上記熱源側回路（40）は、上記液側バイパス配管（50）における上記液側バイパス弁（51）と上記液側配管（47）の間に配置されて冷媒を貯留する容器部材（57）を有するものである。
【００３１】
第９の発明では、熱源側回路（40）の液側バイパス配管（50）に容器部材（57）が設けられる。制御器（80）が冷媒回収制御動作を行うことによって利用側回路（60）から熱源側回路（40）へ回収された冷媒は、この容器部材（57）に貯留される。
【００３２】
第１０の発明は、上記第１〜第９のいずれか一つの発明において、上記熱源側回路（40）は、上記冷却運転中に上記利用側回路（60）から上記圧縮機（41）へ向かって冷媒が流れる配管（48）に設けられたガス側制御弁（56）を有し、上記制御器（80）は、上記冷媒回収制御動作の終了条件が成立すると、上記ガス側制御弁（56）を閉じて上記圧縮機（41）を停止させるように構成されるものである。
【００３３】
第１０の発明では、冷媒回収制御動作の終了条件が成立すると、制御器（80）がガス側制御弁（56）を閉じる。この状態では、液側制御弁（44,55）とガス側制御弁（56）の両方が閉じるため、冷媒回路（30）において熱源側回路（40）と利用側回路（60）の間が完全に遮断される。制御器（80）は、ガス側制御弁（56）を閉じて熱源側回路（40）と利用側回路（60）の間の遮断した後に、圧縮機（41）を停止させる。このため、圧縮機（41）の停止後においても、熱源側回路（40）に回収された冷媒が利用側回路（60）へ戻ることは無い。
【発明の効果】
【００３４】
本発明の制御器（80）は、漏洩信号を受信すると冷媒回収制御動作を行うと共に、この冷媒回収制御動作において、液側バイパス弁（51）を開く弁制御動作を行う。液側バイパス弁（51）が開いた状態において、圧縮機（41）は、利用側回路（60）から熱源側回路（40）へ流入した冷媒と共に、液側バイパス配管（50）を流れる冷媒を吸入する。液側バイパス配管（50）を流れる冷媒を圧縮機（41）へ吸入させると、圧縮機（41）の吸入圧力をある程度以上に保ち続けることが可能となり、その結果、圧縮機（41）の吐出温度の過上昇を回避することが可能となる。
【００３５】
このように、本発明では、その結果、制御器（80）が漏洩信号を受信して液側制御弁（44,55）を閉じた状態において、圧縮機（41）の吐出温度の過上昇を回避しつつ圧縮機（41）の動作させ続けることができ、利用側回路（60）の冷媒を圧縮機（41）へ吸入させ続けることができる。従って、本発明によれば、利用側回路（60）からの冷媒の漏洩が生じたした場合に、利用側回路（60）に残存する冷媒の量を充分に削減でき、利用側回路（60）から漏洩する冷媒の量を確実に低減することができる。
【００３６】
第２の発明では、熱源側回路（40）にガス側バイパス配管（52）及びガス側バイパス弁（53）が設けられている。ガス側バイパス弁（53）を開けば、圧縮機（41）から吐出された冷媒の少なくとも一部が圧縮機（41）の吸入側へ流入する。従って、この発明によれば、制御器（80）の冷媒回収制御動作中にガス側バイパス弁（53）を開くことによって、圧縮機（41）へ吸入される冷媒の状態を制御することが可能となる。
【００３７】
上記第３及び第５の各発明では、漏洩信号を受信した制御器（80）が冷媒回収制御動作中に弁制御動作を行うことによって、圧縮機（41）へ吸入される冷媒がガス単相状態に保たれる。
【００３８】
制御器（80）の冷媒回収制御動作において、利用側回路（60）が圧縮機（41）の吸入側に連通する状態がある程度以上の時間に亘って継続すると、利用側回路（60）の冷媒の状態は、圧縮機（41）へ吸入される冷媒と同じになる。従って、第３及び第５の各発明によれば、制御器（80）の冷媒回収制御動作の実行中に利用側回路（60）の冷媒をガス単相状態に保つことができ、その結果、利用側回路（60）から漏洩する冷媒の量をできるだけ少なく抑えることが可能となる。
【００３９】
上記第４及び第６の各発明では、漏洩信号を受信した制御器（80）が冷媒回収制御動作中に弁制御動作を行うことによって、圧縮機（41）から吐出される冷媒の過熱度が所定値以上に保たれる。その結果、圧縮機（41）へ吸入される冷媒の湿り度をある程度以下に抑えることが可能となり、湿り度の高い冷媒を吸入することに起因する圧縮機（41）の損傷を回避することが可能となる。
【００４０】
ここで、利用側回路（60）が損傷した場合に、利用側回路（60）の損傷箇所から空気が冷媒回路（30）内へ侵入すると、利用側回路（60）の損傷箇所を修復するだけでなく、更には冷媒回路（30）から空気を排出しなければならず、その結果、冷凍装置（10）の修理に要する工数と費用が増大する。
【００４１】
これに対し、上記第７の発明では、制御器（80）が冷媒回収制御動作において圧縮機（41）の運転容量を調節することによって、利用側回路（60）の圧力が大気圧よりも高い圧力に保たれる。このため、利用側回路（60）が損傷している状態においても、利用側回路（60）の損傷箇所から冷媒回路（30）内への空気の侵入を防止できる。従って、この発明によれば、利用側回路（60）が損傷した場合の冷凍装置（10）の修理に要する工数と費用を低く抑えることが可能となる。
【００４２】
上記第８の発明では、熱源側回路（40）の四方切換弁（42）が設けられ、四方切換弁（42）を利用側回路（60）と連通させるための配管（48）に液側バイパス配管（50）が接続される。このため、制御器（80）の冷媒回収制御動作によって圧縮機（41）が起動してからある程度の時間が経過した以降は、利用側回路（60）の冷媒が圧縮機（41）へ吸入される冷媒とほぼ同じ状態に保たれ、利用側回路（60）に僅かな量の冷媒だけが残存する状態を保つことが可能となる。
【００４３】
上記第９の発明では、制御器（80）が冷媒回収制御動作を行うことによって利用側回路（60）から熱源側回路（40）へ回収された冷媒を、容器部材（57）に貯留できる。従って、この発明によれば、利用側回路（60）から回収した冷媒を熱源側回路（40）に確実に保持できる。
【００４４】
上記第１０の発明において、冷媒回収制御動作の終了条件が成立すると、液側制御弁（44,55）とガス側制御弁（56）の両方が閉じた状態となり、冷媒回路（30）において熱源側回路（40）と利用側回路（60）の間が完全に遮断される。このため、圧縮機（41）の停止後においても、熱源側回路（40）に回収された冷媒が利用側回路（60）へ戻ることは無い。従って、この発明によれば、制御器（80）の冷媒回収制御動作が終了して圧縮機（41）が停止した後も、利用側回路（60）における冷媒の残存量を少なく保つことができる。
【図面の簡単な説明】
【００４５】
【図１】図１は、実施形態１の空気調和機の構成を示す冷媒回路図である。
【図２】図２は、実施形態１の室外制御器の構成を示すブロック図である。
【図３】図３は、空気調和機の冷媒回収運転中における冷媒回路の冷媒の状態を示すモリエル線図（圧力−エンタルピ線図）である。
【図４】図４は、実施形態２の空気調和機の構成を示す冷媒回路図である。
【図５】図５は、実施形態３の空気調和機の構成を示す冷媒回路図である。
【図６】図６は、実施形態４の冷凍機の構成を示す冷媒回路図である。
【図７】図７は、その他の実施形態の第１変形例の空気調和機の構成を示す冷媒回路図である。
【図８】図８は、その他の実施形態の第２変形例の空気調和機の構成を示す冷媒回路図である。
【発明を実施するための形態】
【００４６】
本発明の実施形態を図面に基づいて詳細に説明する。なお、以下で説明する実施形態および変形例は、本質的に好ましい例示であって、本発明、その適用物、あるいはその用途の範囲を制限することを意図するものではない。また、以下の実施形態および変形例は、空気調和機または冷凍機の機能を損なわない限り、適宜組み合わせたり、置換したりしてもよい。
【００４７】
《実施形態１》
実施形態１について説明する。本実施形態は、冷凍装置によって構成された空気調和機（10）である。
【００４８】
−空気調和機の構成−
図１に示すように、本実施形態の空気調和機（10）は、一台の室外機（15）と、複数台の室内機（20）とを備えている。なお、図１に示す室外機（15）及び室内機（20）の台数は、いずれも単なる一例である。つまり、空気調和機（10）には、複数台の室外機（15）が設けられていてもよいし、一台だけ又は三台以上の室内機（20）が設けられていてもよい。
【００４９】
〈室外機〉
室外機（15）は、熱源側ユニットを構成する。室外機（15）には、室外回路（40）と、室外ファン（16）と、室外制御器（80）とが設けられている。室外ファン（16）は、後述する室外熱交換器（43）へ室外空気をためのファンであって、熱源側ファンを構成する。室外回路（40）及び室外制御器（80）については、後述する。
【００５０】
〈室内機〉
各室内機（20）は、利用側ユニットを構成する。各室内機（20）には、室内回路（60）と、室内ファン（21）と、室内制御器（22）と、冷媒センサ（23）とが設けられている。
【００５１】
室内ファン（21）は、後述する室内熱交換器（61）へ室内空気をためのファンであって、利用側ファンを構成する。
【００５２】
図示しないが、室内制御器（22）は、その動作に必要なデータを記憶するメモリと、制御動作を行うＣＰＵとを備えている。この室内制御器（22）は、室内ファン（21）と室内膨張弁（62）を制御するように構成されている。
【００５３】
冷媒センサ（23）は、空気中の冷媒の濃度が所定の基準濃度を超えると検出信号を出力するように構成されたセンサである。この冷媒センサ（23）は、室内回路（60）から冷媒が漏洩したことを検知する漏洩検知部を構成する。冷媒センサ（23）の検出信号は、室内回路（60）から冷媒が漏洩したことを示す漏洩信号である。室内回路（60）については、後述する。
【００５４】
−冷媒回路の構成−
空気調和機（10）では、室外機（15）の室外回路（40）と室内機（20）の室内回路（60）とを、液側連絡配管（31）及びガス側連絡配管（32）によって接続することによって、冷媒回路（30）が構成される。冷媒回路（30）には、例えばＨＦＣ−３２が冷媒として充填される。液側連絡配管（31）は、各室内回路（60）の液側端を、室外回路（40）の液側閉鎖弁（45）に接続するための配管である。ガス側連絡配管（32）は、各室内回路（60）のガス側端を、室外回路（40）のガス側閉鎖弁（46）に接続するための配管である。この冷媒回路（30）において、各室内機（20）の室内回路（60）は、互いに並列に接続される。
【００５５】
〈室外回路〉
室外回路（40）は、熱源側回路を構成する。この室外回路（40）には、圧縮機（41）と、四方切換弁（42）と、室外熱交換器（43）と、室外膨張弁（44）と、液側閉鎖弁（45）と、ガス側閉鎖弁（46）とが設けられている。また、室外回路（40）には、液側バイパス配管（50）と、ガス側バイパス配管（52）とが設けられている。
【００５６】
室外回路（40）において、圧縮機（41）は、その吐出管が四方切換弁（42）の第１のポートに接続され、その吸入管が四方切換弁（42）の第２のポートに接続されている。四方切換弁（42）は、その第３のポートが室外熱交換器（43）のガス側端に接続され、その第４のポートがガス側閉鎖弁（46）に接続されている。室外熱交換器（43）は、その液側端が室外膨張弁（44）を介して液側閉鎖弁（45）に接続されている。室外回路（40）では、室外熱交換器（43）と液側閉鎖弁（45）を接続する配管が液側配管（47）を構成し、四方切換弁（42）の第４のポートとガス側閉鎖弁（46）を接続する配管がガス側配管（48）を構成する。
【００５７】
圧縮機（41）は、全密閉型のスクロール圧縮機である。図示しないが、圧縮機（41）では、スクロール型流体機械からなる圧縮機構と、圧縮機構を駆動する電動機とが、密閉容器状のケーシングに収容される。ケーシングの内部空間では、圧縮機構から吐出された冷媒または圧縮機構へ吸入される冷媒が流通する。
【００５８】
圧縮機（41）は、その運転容量が可変となっている。具体的に、圧縮機（41）の電動機には、図外のインバータを介して交流が供給される。インバータが圧縮機（41）へ供給する交流の周波数（即ち、圧縮機（41）の運転周波数）を変更すると、圧縮機（41）の回転速度が変化し、その結果、圧縮機（41）の運転容量が変化する。
【００５９】
四方切換弁（42）は、第１のポートが第３のポートと連通し且つ第２のポートが第４のポートと連通する第１状態（図１に実線で示す状態）と、第１のポートが第４のポートと連通し且つ第２のポートが第３のポートと連通する第２状態（図１に破線で示す状態）とに切り換わる弁である。
【００６０】
室外熱交換器（43）は、いわゆるクロスフィン型のフィンアンドチューブ熱交換器であって、冷媒を空気と熱交換させる。この室外熱交換器（43）は、熱源側熱交換器を構成する。室外膨張弁（44）は、弁体がステッピングモーターで駆動される開度可変の電子膨張弁である。この室外膨張弁（44）は、後述する冷媒回収運転において液側配管（47）を閉鎖する液側制御弁を兼ねている。
【００６１】
液側バイパス配管（50）は、その一端が液側配管（47）のうち室外熱交換器（43）と室外膨張弁（44）を繋ぐ部分に接続され、他端がガス側配管（48）に接続されている。この液側バイパス配管（50）は、液側配管（47）における室外熱交換器（43）と室外膨張弁（44）の間の部分を圧縮機（41）の吸入側と連通させるための配管である。液側バイパス配管（50）には、液側バイパス弁（51）が設けられている。液側バイパス弁（51）は、弁体がステッピングモーターで駆動される電動弁である。つまり、液側バイパス弁（51）は、開状態における開度が可変の調節弁である。
【００６２】
ガス側バイパス配管（52）は、その一端が圧縮機（41）の吐出管と四方切換弁（42）の第１のポートを繋ぐ配管に接続され、他端がガス側配管（48）に接続されている。このガス側バイパス配管（52）は、圧縮機（41）の吐出側を圧縮機（41）の吸入側と連通させるための配管である。ガス側バイパス配管（52）の他端は、液側バイパス配管（50）と実質的に同じ位置において、ガス側配管（48）に接続する。ガス側バイパス配管（52）には、ガス側バイパス弁（53）が設けられている。ガス側バイパス弁（53）は、弁体がソレノイドで駆動される電磁弁である。つまり、ガス側バイパス弁（53）は、開状態における開度が固定の開閉弁である。
【００６３】
室外回路（40）では、圧縮機（41）の吐出管と四方切換弁（42）の第１のポートを繋ぐ配管に、吐出温度センサ（70）と吐出圧力センサ（75）とが設けられている。吐出温度センサ（70）は、圧縮機（41）から吐出された冷媒の温度を計測する。吐出圧力センサ（75）は、圧縮機（41）から吐出された冷媒の圧力を計測する。また、室外回路（40）では、圧縮機（41）の吸入管と四方切換弁（42）の第２のポートを繋ぐ配管に、吸入温度センサ（71）と吸入圧力センサ（76）とが設けられている。吸入温度センサ（71）は、圧縮機（41）へ吸入される冷媒の温度を計測する。吸入圧力センサ（76）は、圧縮機（41）へ吸入される冷媒の圧力を計測する。
【００６４】
〈室内回路〉
室内回路（60）は、利用側回路を構成する。この室内回路（60）には、室内熱交換器（61）と、室内膨張弁（62）とが設けられている。室内回路（60）において、室内熱交換器（61）と室内膨張弁（62）とは、室内回路（60）のガス側端から液側端に向かって順に、直列に配置されている。
【００６５】
室内熱交換器（61）は、いわゆるクロスフィン型のフィンアンドチューブ熱交換器であって、冷媒を空気と熱交換させる。この室内熱交換器（61）は、利用側熱交換器を構成する。室内膨張弁（62）は、弁体がステッピングモーターで駆動される開度可変の電子膨張弁である。
【００６６】
−室外制御器の構成−
図１に示すように、室外制御器（80）は、後述する冷媒回収制御動作を含む制御動作を行うＣＰＵ（81）と、ＣＰＵ（81）が行う制御動作に必要なデータ等を記憶するメモリ（82）とを備えている。室外制御器（80）には、吐出温度センサ（70）、吸入温度センサ（71）、吐出圧力センサ（75）、及び吸入圧力センサ（76）の計測値が入力される。また、室外制御器（80）には、各室内機（20）に設けられた冷媒センサ（23）の検出信号が入力される。
【００６７】
図２に示すように、室外制御器（80）には、通常制御部（85）と、冷媒回収制御部（86）とが形成されている。通常制御部（85）は、後述する冷房運転中および暖房運転中に空気調和機（10）の構成機器を制御する通常制御動作を行うように構成される。冷媒回収制御部（86）は、後述する冷媒回収運転中に空気調和機（10）の構成機器を制御する冷媒回収制御動作を行うように構成される。
【００６８】
−空気調和機の運転動作−
本実施形態の空気調和機（10）は、冷房運転と暖房運転を選択的に行う。また、この空気調和機（10）は、冷房運転中または暖房運転中に室内回路（60）からの冷媒が漏洩した場合に、冷媒回収運転を行う。
【００６９】
〈冷房運転〉
空気調和機（10）の冷房運転について説明する。冷房運転において、室外制御器（80）の通常制御部（85）は、四方切換弁（42）を第１状態に設定し、室外膨張弁（44）を全開状態に保持し、液側バイパス弁（51）及びガス側バイパス弁（53）を閉状態に保持し、室外ファン（16）を作動させる。また、冷房運転において、各室内機（20）の室内制御器（22）は、室内膨張弁（62）の開度を調節し、室内ファン（21）を作動させる。
【００７０】
室外制御器（80）の通常制御部（85）が圧縮機（41）を作動させると、冷媒回路（30）において冷媒が循環して冷凍サイクルが行われる。その際、冷媒回路（30）では、室外熱交換器（43）が凝縮器（即ち、放熱器）として機能し、各室内熱交換器（61）が蒸発器として機能する。
【００７１】
具体的に、圧縮機（41）から吐出された冷媒は、四方切換弁（42）を通過後に室外熱交換器（43）へ流入し、室外空気へ放熱して凝縮する。室外熱交換器（43）において凝縮した冷媒は、液側配管（47）を通って液側連絡配管（31）へ流入し、その後に各室内回路（60）へ分配される。各室内回路（60）へ流入した冷媒は、室内膨張弁（62）を通過する際に減圧された後に室内熱交換器（61）へ流入し、室内空気から吸熱して蒸発する。各室内機（20）は、室内熱交換器（61）において冷却された空気を室内へ吹き出す。各室内回路（60）の室内熱交換器（61）において蒸発した冷媒は、ガス側連絡配管（32）へ流入して合流し、その後に室外回路（40）のガス側配管（48）と四方切換弁（42）とを順に通過して圧縮機（41）へ吸入される。圧縮機（41）へ吸入された冷媒は、圧縮された後に圧縮機（41）から吐出される。
【００７２】
冷房運転において、室外制御器（80）の通常制御部（85）は、圧縮機（41）の運転容量を調節する制御動作を行う。具体的に、通常制御部（85）は、吸入圧力センサ（76）の計測値（即ち、冷凍サイクルの低圧）が所定の目標値となるように、圧縮機（41）へ交流を供給するインバータの出力周波数を調節する。
【００７３】
〈暖房運転〉
空気調和機（10）の暖房運転について説明する。暖房運転において、室外制御器（80）の通常制御部（85）は、四方切換弁（42）を第２状態に設定し、室外膨張弁（44）の開度を調節し、液側バイパス弁（51）及びガス側バイパス弁（53）を閉状態に保持し、室外ファン（16）を作動させる。また、暖房運転において、各室内機（20）の室内制御器（22）は、室内膨張弁（62）の開度を調節し、室内ファン（21）を作動させる。
【００７４】
室外制御器（80）の通常制御部（85）が圧縮機（41）を作動させると、冷媒回路（30）において冷媒が循環して冷凍サイクルが行われる。その際、冷媒回路（30）では、各室内熱交換器（61）が凝縮器として機能し、室外熱交換器（43）が蒸発器として機能する。
【００７５】
具体的に、圧縮機（41）から吐出された冷媒は、四方切換弁（42）とガス側配管（48）を順に通過後にガス側連絡配管（32）へ流入し、各室内回路（60）へ分配される。各室内回路（60）へ流入した冷媒は、室内熱交換器（61）へ流入し、室内空気へ放熱して凝縮する。各室内機（20）は、室内熱交換器（61）において加熱された空気を室内へ吹き出す。各室内回路（60）の室内熱交換器（61）において凝縮した冷媒は、室内膨張弁（62）を通過後に液側連絡配管（31）へ流入して合流し、その後に室外回路（40）の液側配管（47）へ流入する。液側配管（47）へ流入した冷媒は、室外膨張弁（44）を通過する際に減圧されてから室外熱交換器（43）へ流入し、室が空気から吸熱して蒸発する。室外熱交換器（43）において蒸発した冷媒は、四方切換弁（42）を通過後に圧縮機（41）へ吸入される。圧縮機（41）へ吸入された冷媒は、圧縮された後に圧縮機（41）から吐出される。
【００７６】
暖房運転において、室外制御器（80）の通常制御部（85）は、圧縮機（41）の運転容量を調節する制御動作を行う。具体的に、通常制御部（85）は、吐出圧力センサ（75）の計測値（即ち、冷凍サイクルの高圧）が所定の目標値となるように、圧縮機（41）へ交流を供給するインバータの出力周波数を調節する。
【００７７】
〈冷媒回収運転〉
空気調和機（10）の冷媒回収運転について説明する。この冷媒回収運転は、室内回路（60）の冷媒を室外回路（40）に回収するための運転であって、少なくとも一つの室内回路（60）から冷媒が漏洩した場合に行われる。
【００７８】
上述したように、各室内機（20）に設けられた冷媒センサ（23）は、空気中の冷媒の濃度が所定の基準濃度を超えると検出信号を出力する。室外制御器（80）の冷媒回収制御部（86）は、少なくとも一つの冷媒センサ（23）から検出信号を受信すると、空気調和機（10）に冷媒回収運転を行わせるために、冷媒回収制御動作を行う。
【００７９】
冷媒回収制御動作において、室外制御器（80）の冷媒回収制御部（86）は、室外膨張弁（44）を全閉状態に保持し、室外ファン（16）を作動させる。また、冷媒回収制御部（86）は、冷媒回収制御動作の開始時に圧縮機（41）が作動している場合は圧縮機（41）を作動させ続け、冷媒回収制御動作の開始時に圧縮機（41）が停止している場合は圧縮機（41）を起動する。
【００８０】
冷媒回収制御部（86）は、冷媒回収制御動作を開始すると同時に、弁制御動作を開始する。弁制御動作において、冷媒回収制御部（86）は、液側バイパス弁（51）及びガス側バイパス弁（53）を開状態とする。また、弁制御動作において、冷媒回収制御部（86）は、液側バイパス弁（51）の開度調節を行う。冷媒回収制御部（86）が液側バイパス弁（51）の開度を調節する動作については、後述する。
【００８１】
また、冷媒回収制御動作において、冷媒回収制御部（86）は、四方切換弁（42）を第１状態に設定する。つまり、冷媒回収制御部（86）は、冷房運転中に冷媒センサ（23）の検出信号を受信した場合は四方切換弁（42）を第１状態に保持し、暖房運転中に冷媒センサ（23）の検出信号を受信した場合は四方切換弁（42）を第２状態から第１状態へ切り換える。更に、冷媒回収制御部（86）は、各室内機（20）の室内制御器（22）に対して、室内ファン（21）を作動させて室内膨張弁（62）を全開に保持するように指示する指令信号を出力する。
【００８２】
この状態において、冷媒回路（30）では、液側連絡配管（31）及び各室内回路（60）に存在する冷媒が、圧縮機（41）によって吸引されて室外回路（40）に回収される。具体的に、液側連絡配管（31）及び室内回路（60）に存在する冷媒は、ガス側連絡配管（32）を通って室外回路（40）のガス側配管（48）へ流入し、その後に四方切換弁（42）を通って圧縮機（41）へ吸入される。圧縮機（41）へ吸入された冷媒は、圧縮されて圧縮機（41）から吐出された後に室外熱交換器（43）へ流入し、室外空気へ放熱して凝縮する。室外膨張弁（44）が全閉となっているため、室外熱交換器（43）において凝縮した冷媒は、室外回路（40）内に貯留される。
【００８３】
冷媒回収運転では、液側バイパス弁（51）及びガス側バイパス弁（53）が開状態となっている。このため、圧縮機（41）は、液側連絡配管（31）及び室内回路（60）に存在する冷媒と共に、液側バイパス配管（50）からガス側配管（48）へ流入した冷媒と、ガス側バイパス配管（52）からガス側配管（48）へ流入した冷媒とを吸入する。液側バイパス配管（50）は、室外熱交換器（43）において凝縮した冷媒の一部を、ガス側配管（48）へ導入する。ガス側バイパス配管（52）は、圧縮機（41）から吐出された冷媒の一部を、ガス側配管（48）へ導入する。
【００８４】
室外制御器（80）の冷媒回収制御部（86）は、弁制御動作において、圧縮機（41）へ吸入される冷媒がガス単相状態となるように、液側バイパス弁（51）の開度を調節する。本実施形態の冷媒回収制御部（86）は、圧縮機（41）へ吸入される冷媒をガス単相状態に保つために、圧縮機（41）の吸入過熱度（即ち、圧縮機（41）へ吸入される冷媒の過熱度）が所定の目標過熱度範囲に保たれるように液側バイパス弁（51）の開度を調節する。つまり、冷媒回収制御部（86）は、圧縮機（41）の吸入過熱度が目標過熱度範囲の下限値以上で且つ上限値以下となるように、液側バイパス弁（51）の開度を調節する。
【００８５】
具体的に、冷媒回収制御部（86）は、吸入温度センサ（71）及び吸入圧力センサ（76）の計測値を用いて、圧縮機（41）の吸入過熱度を算出する。そして、冷媒回収制御部（86）は、算出した圧縮機（41）の吸入過熱度が所定の目標過熱度範囲（例えば、５℃±１℃）内の値となるように、液側バイパス弁（51）の開度を調節する。つまり、冷媒回収制御部（86）は、算出した圧縮機（41）の吸入過熱度が目標過熱度範囲の上限値（例えば、５℃＋１℃）を上回っている場合は液側バイパス弁（51）の開度を増やし、算出した圧縮機（41）の吸入過熱度が目標過熱度範囲の下限値（例えば、５℃−１℃）を下回っている場合は液側バイパス弁（51）の開度を減らす。なお、ここに示した目標過熱度範囲の数値は、単なる一例である。目標過熱度範囲は、例えば５℃以上１０℃以下の範囲であってもよい。
【００８６】
また、室外制御器（80）の冷媒回収制御部（86）は、吸入圧力センサ（76）の計測値が所定の目標圧力ＰＴを含む目標圧力範囲（ＰＴ±ΔＰ）に保たれるように、圧縮機（41）の運転容量を調節する。具体的に、冷媒回収制御部（86）は、吸入圧力センサ（76）の計測値が目標圧力範囲の上限値（ＰＴ＋ΔＰ）を上回っている場合は、圧縮機（41）の回転速度を高めて圧縮機（41）の運転容量を増やし、吸入圧力センサ（76）の計測値が目標圧力範囲の下限値（ＰＴ−ΔＰ）を下回っている場合は、圧縮機（41）の回転速度を低めて圧縮機（41）の運転容量を減らす。
【００８７】
目標圧力ＰＴは、大気圧よりも高く、且つ室内回路（60）からの冷媒の漏洩速度（即ち、単位時間あたりに室内回路（60）から漏洩する冷媒の質量）が所定の上限速度以下となるような値に設定されている。ここで、冷媒回路（30）からの冷媒の漏洩は、腐食によって配管や伝熱管に孔が空くことによって発生する場合が多い。また、腐食に起因する孔の直径は、せいぜい０,２ｍｍ程度と言われている。従って、目標圧力ＰＴは、配管等に空いた孔の直径が０,２ｍｍである場合に、その孔からの冷媒の漏洩速度が上限速度以下となるような値であるのが望ましい。
【００８８】
吸入圧力センサ（76）の計測値がある程度の時間以上に亘って概ね目標圧力に保たれると、液側連絡配管（31）及び各室内回路（60）にガス冷媒だけが残存する状態となる。この状態において、圧縮機（41）は、実質的に、液側バイパス配管（50）からガス側配管（48）へ流入した冷媒と、ガス側バイパス配管（52）からガス側配管（48）へ流入した冷媒だけを吸入する。
【００８９】
この状態における冷媒回路（30）の冷媒の状態を、図３のモリエル線図（圧力−エンタルピ線図）を参照しながら説明する。冷媒回路（30）では、図３における点２の状態の冷媒が圧縮機（41）から吐出される。点２の状態の冷媒は、その一部（質量流量：Ｇｂ）がガス側バイパス配管（52）へ流入し、残り（質量流量：Ｇｍ）が室外熱交換器（43）へ流入する。
【００９０】
室外熱交換器（43）へ流入した点２の状態の冷媒は、室外空気へ放熱して点３の状態（過冷却状態）となって液側バイパス配管（50）へ流入し、液側バイパス弁（51）を通過する際に膨張して点４の状態（気液二相状態）となり、その後にガス側配管（48）へ流入する。一方、ガス側バイパス配管（52）へ流入した点２の状態の冷媒は、ガス側バイパス弁（53）を通過する際に膨張して点５の状態（過熱状態）となり、その後にガス側配管（48）へ流入する。
【００９１】
ガス側配管（48）では、液側バイパス配管（50）から流入した点４の状態の冷媒と、ガス側バイパス配管（52）から流入した点５の状態の冷媒とが合流し、点１の状態（過熱状態）の冷媒となる。そして、この点１の状態の冷媒が圧縮機（41）へ吸入される。
【００９２】
図３における点１の状態の冷媒は、その圧力が概ね目標圧力となり、その過熱度が概ね目標吸入過熱度となっている。つまり、液側連絡配管（31）及び室内回路（60）から室外回路（40）への冷媒の回収が実質的に完了した状態においても、圧縮機（41）の吸入過熱度が比較的小さい値に保たれる。そのため、この状態においても、圧縮機（41）の吐出温度（具体的には、吐出温度センサ（70）の計測値）の過上昇を回避しつつ、圧縮機（41）を作動させ続けることが可能となる。冷媒回収運転中には、ガス側連絡配管（32）を介して室内回路（60）に連通するガス側配管（48）の冷媒が、図３における点１の状態となる。従って、この状態で圧縮機（41）が作動し続けている間は、液側連絡配管（31）及び室内回路（60）に残存する冷媒の状態が、図３における点１の状態（即ち、ガス単相状態）に保たれる。
【００９３】
−実施形態１の効果−
本実施形態の空気調和機（10）では、少なくとも一つの室内機（20）の冷媒センサ（23）が検知信号を出力すると、室外制御器（80）が冷媒回収制御動作を行い、圧縮機（41）が、室内回路（60）から室外回路（40）へ流入した冷媒と共に、液側バイパス配管（50）を流れる冷媒と、ガス側バイパス配管（52）を流れる冷媒とを吸入する。このため、圧縮機（41）の吸入過熱度をある程度以下に抑えて圧縮機（41）の吐出温度の過上昇を回避しつつ圧縮機（41）の動作させ続けることができ、室内回路（60）の冷媒を圧縮機（41）へ吸入させ続けることができる。従って、本実施形態によれば、冷媒センサ（23）が室内回路（60）からの冷媒の漏洩を検知した場合に、室内回路（60）に残存する冷媒の量を充分に削減でき、室内回路（60）から漏洩する冷媒の量を確実に低減することができる。
【００９４】
ここで、室内回路（60）が損傷した場合に、室内回路（60）の損傷箇所から空気が冷媒回路（30）内へ侵入すると、室内回路（60）の損傷箇所を修復するだけでなく、更には冷媒回路（30）から空気を排出しなければならず、その結果、空気調和機（10）の修理に要する工数と費用が増大する。
【００９５】
これに対し、本実施形態の空気調和機（10）では、冷媒センサ（23）が室内回路（60）からの冷媒の漏洩を検知した場合、室外制御器（80）が圧縮機（41）の運転容量を調節することによって、室内回路（60）の圧力が大気圧よりも高い圧力に保たれる。このため、室内回路（60）が損傷している状態においても、室内回路（60）の損傷箇所から冷媒回路（30）内への空気の侵入を防止できる。従って、本実施形態によれば、室内回路（60）が損傷した場合の空気調和機（10）の修理に要する工数と費用を低く抑えることが可能となる。
【００９６】
また、本実施形態の空気調和機（10）では、その冷媒回収運転において、室外制御器（80）の冷媒回収制御部（86）が液側バイパス弁（51）の開度を調節することによって、圧縮機（41）の吸入過熱度が概ね目標吸入過熱度に保たれる。空気調和機（10）の冷媒回収運転において、室内回路（60）が圧縮機（41）の吸入側に連通する状態がある程度以上の時間に亘って継続すると、室内回路（60）の冷媒の状態は、圧縮機（41）へ吸入される冷媒と実質的に同じになる。従って、本実施形態によれば、室内回路（60）の冷媒をガス単相状態に保つことができ、その結果、室内回路（60）から漏洩する冷媒の量をできるだけ少なく抑えることが可能となる。
【００９７】
また、本実施形態の空気調和機（10）では、液側バイパス配管（50）とガス側バイパス配管（52）の両方が、四方切換弁（42）とガス側閉鎖弁（46）を繋ぐガス側配管（48）に接続される。このため、室外制御器（80）の冷媒回収制御動作によって圧縮機（41）が起動してからある程度の時間が経過した以降は、室内回路（60）の冷媒が圧縮機（41）へ吸入される冷媒とほぼ同じ状態に保つことができ、室内回路（60）に僅かな量の冷媒だけが残存する状態を保つことが可能となる。
【００９８】
《実施形態２》
実施形態２について説明する。本実施形態の空気調和機（10）は、実施形態1の空気調和機（10）において、室外回路（40）の構成を変更したものである。ここでは、本実施形態の空気調和機（10）について、実施形態1の空気調和機（10）と異なる点を説明する。
【００９９】
図４に示すように、本実施形態の空気調和機（10）では、室外回路（40）の液側バイパス配管（50）に、レシーバ（57）とバイパス開閉弁（58）とが設けられる。本実施形態の液側バイパス配管（50）では、液側バイパス弁（51）よりも液側配管（47）寄りの部分にレシーバ（57）が配置され、レシーバ（57）よりも液側配管（47）寄りの部分にバイパス開閉弁（58）が配置される。レシーバ（57）は、冷媒を貯留するための容器部材を構成する。バイパス開閉弁（58）は、開閉可能な電磁弁である。
【０１００】
本実施形態において、室外制御器（80）の通常制御部（85）は、空気調和機（10）の冷房運転および暖房運転において、バイパス開閉弁（58）を閉状態に保持する。一方、室外制御器（80）の冷媒回収制御部（86）は、空気調和機（10）の冷媒回収運転において、バイパス開閉弁（58）を開状態に保持する。空気調和機（10）の冷媒回収運転において、液側連絡配管（31）及び室内回路（60）から室外回路（40）へ回収された冷媒は、室外熱交換器（43）において凝縮した後にレシーバ（57）に流入して貯留される。
【０１０１】
空気調和機（10）の冷媒回収運転の終了条件（即ち、冷媒回収制御動作の終了条件）が成立すると、冷媒回収制御部（86）は、液側バイパス弁（51）及びバイパス開閉弁（58）を閉じて圧縮機（41）を停止させる。冷媒回収運転中にレシーバ（57）へ流入した冷媒は、圧縮機（41）の停止後もレシーバ（57）に留まり続ける。従って、本実施形態によれば、空気調和機（10）の冷媒回収運転が終了して圧縮機（41）が停止した後も、室内回路（60）における冷媒の残存量を少なく保つことができる。
【０１０２】
なお、冷媒回収運転の終了条件としては、例えば“吸入圧力センサ（76）の計測値が目標圧力を含む目標範囲に保たれた状態の継続時間が所定の基準時間を超えるという条件”が挙げられる。
【０１０３】
《実施形態３》
実施形態３について説明する。本実施形態の空気調和機（10）は、実施形態２の空気調和機（10）において、室外回路（40）の構成を変更したものである。ここでは、本実施形態の空気調和機（10）について、実施形態２の空気調和機（10）と異なる点を説明する。
【０１０４】
図５に示すように、本実施形態の空気調和機（10）では、室外回路（40）のガス側配管（48）に、ガス側開閉弁（56）が設けられる。ガス側配管（48）において、ガス側開閉弁（56）は、ガス側配管（48）に対する液側バイパス配管（50）及びガス側バイパス配管（52）の接続箇所よりもガス側閉鎖弁（46）寄りに配置されている。ガス側開閉弁（56）は、開閉可能な電磁弁であって、ガス側制御弁を構成する。
【０１０５】
本実施形態において、室外制御器（80）の通常制御部（85）は、空気調和機（10）の冷房運転および暖房運転において、ガス側開閉弁（56）を開状態に保持する。また、室外制御器（80）の冷媒回収制御部（86）は、空気調和機（10）の冷媒回収運転において、ガス側開閉弁（56）を開状態に保持する。そして、冷媒回収制御部（86）は、空気調和機（10）の冷媒回収運転の終了条件が成立すると、ガス側開閉弁（56）を閉じて圧縮機（41）を停止させる。なお、冷媒回収運転の終了条件としては、実施形態２と同様の条件を用いることができる。
【０１０６】
本実施形態の空気調和機（10）において、冷媒回収運転の終了条件が成立すると、室外膨張弁（44）とガス側開閉弁（56）の両方が閉じた状態となり、冷媒回路（30）において室外回路（40）と室内回路（60）の間が完全に遮断される。このため、圧縮機（41）の停止後においても、室外回路（40）に回収された冷媒が室内回路（60）へ戻ることは無い。従って、本実施形態によれば、空気調和機（10）の冷媒回収運転が終了して圧縮機（41）が停止した後も、室内回路（60）における冷媒の残存量を少なく保つことができる。
【０１０７】
なお、図1に示す実施形態1の空気調和機（10）において、室外回路（40）のガス側配管（48）に、ガス側開閉弁（56）を設けてもよい。
【０１０８】
《実施形態４》
実施形態４について説明する。本実施形態は、冷凍装置によって構成された冷凍機（10）である。この冷凍機（10）は、例えば冷蔵倉庫に設置され、その庫内空間を冷却する。ここでは、本実施形態の冷凍機（10）について、図１に示す実施形態１の空気調和機と異なる点を説明する。
【０１０９】
図６に示すように、本実施形態の冷凍機（10）は、一台のコンデンシングユニット（17）と、複数台のユニットクーラ（25）とを備えている。なお、図６に示すコンデンシングユニット（17）及びユニットクーラ（25）の台数は、いずれも単なる一例である。つまり、冷凍機（10）には、複数台のコンデンシングユニット（17）が設けられていてもよいし、一台だけ又は三台以上のユニットクーラ（25）が設けられていてもよい。
【０１１０】
〈コンデンシングユニット〉
コンデンシングユニット（17）は、熱源側ユニットを構成する。コンデンシングユニット（17）には、実施形態１の室外機（15）と同様に、室外回路（40）と、室外ファン（16）と、室外制御器（80）とが設けられている。
【０１１１】
コンデンシングユニット（17）は、室外回路（40）の構成が実施形態１の室外機（15）と異なる。具体的に、本実施形態の室外回路（40）では、四方切換弁（42）と室外膨張弁（44）が省略されている。それに伴い、この室外回路（40）では、ガス側配管（48）が圧縮機（41）の吸入管に直接に接続され、圧縮機（41）の吐出管が室外熱交換器（43）のガス側端に直接に接続されている。また、この室外回路（40）において、ガス側バイパス配管（52）は、その一端が圧縮機（41）の吐出管と室外熱交換器（43）を繋ぐ配管に接続され、その他端が液側バイパス配管（50）における液側バイパス弁（51）よりもガス側配管（48）寄りの部分に接続されている。
【０１１２】
また、本実施形態の室外回路（40）には、液側開閉弁（55）とガス側開閉弁（56）とが設けられている。液側開閉弁（55）は、液側配管（47）に設けられた電磁弁であって、液側制御弁を構成している。液側配管（47）において、液側開閉弁（55）は、液側バイパス配管（50）の接続箇所よりも液側閉鎖弁（45）寄りに配置されている。ガス側開閉弁（56）は、ガス側配管（48）に設けられた電磁弁であって、ガス側制御弁を構成している。ガス側配管（48）において、ガス側開閉弁（56）は、液側バイパス配管（50）の接続箇所よりもガス側閉鎖弁（46）寄りに配置されている。
【０１１３】
〈ユニットクーラ〉
各ユニットクーラ（25）は、利用側ユニットを構成する。ユニットクーラ（25）は、冷蔵倉庫に設けられて冷蔵倉庫の庫内空気を冷却する。各ユニットクーラ（25）には、実施形態１の室内機（20）と同様に、室内回路（60）と、室内ファン（21）と、室内制御器（22）と、冷媒センサ（23）とが設けられている。
【０１１４】
−冷凍機の運転動作−
本実施形態の冷凍機（10）は、冷却運転を行う。また、この冷凍機（10）は、冷却運転中に室内回路（60）からの冷媒が漏洩した場合に、冷媒回収運転を行う。
【０１１５】
〈冷却運転〉
本実施形態の冷凍機（10）が行う冷却運転は、実施形態１の空気調和機が行う冷房運転と同様の運転である。つまり、冷却運転において、冷媒回路（30）では、室外熱交換器（43）が凝縮器として機能し、各室内熱交換器（61）が蒸発器として機能する冷凍サイクルが行われる。
【０１１６】
この冷却運転において、室外制御器（80）の通常制御部（85）は、液側開閉弁（55）及びガス側開閉弁（56）を開状態に保持し、液側バイパス弁（51）及びガス側バイパス弁（53）を閉状態に保持し、室外ファン（16）を作動させる。更に、通常制御部（85）は、実施形態１と同様に、吸入圧力センサ（76）の計測値に基づいて圧縮機（41）の運転容量を調節する。また、冷却運転において、各ユニットクーラ（25）の室内制御器（22）は、室内膨張弁（62）の開度を調節し、室内ファン（21）を作動させる。
【０１１７】
〈冷媒回収運転〉
冷凍機（10）の冷媒回収運転について説明する。この冷媒回収運転は、室内回路（60）の冷媒を室外回路（40）に回収するための運転であって、少なくとも一つの室内回路（60）から冷媒が漏洩した場合に行われる。この点は、実施形態１の空気調和機が行う冷媒回収運転と同じである。
【０１１８】
冷媒回収制御動作において、室外制御器（80）の冷媒回収制御部（86）は、液側開閉弁（55）を閉状態に保持し、ガス側開閉弁（56）を開状態とし、室外ファン（16）を作動させる。また、冷媒回収制御部（86）は、冷媒回収制御動作の開始時に圧縮機（41）が作動している場合は圧縮機（41）を作動させ続け、冷媒回収制御動作の開始時に圧縮機（41）が停止している場合は圧縮機（41）を起動する。
【０１１９】
本実施形態の冷媒回収制御部（86）は、実施形態１と同様に、冷媒回収制御動作を開始すると同時に、弁制御動作を開始する。本実施形態の冷媒回収制御部（86）が行う弁制御動作は、実施形態１冷媒回収制御部（86）が行う弁制御動作と同じである。つまり、本実施形態の冷媒回収制御部（86）は、ガス側バイパス弁（53）を開くと共に、圧縮機（41）の吸入過熱度が所定の目標過熱度範囲に保たれるように液側バイパス弁（51）の開度を調節する。
【０１２０】
本実施形態の冷媒回収制御部（86）は、各室内制御器（22）に対して、実施形態１と同様の指令信号を出力する。また、冷媒回収制御部（86）は、実施形態１と同様に、吸入圧力センサ（76）の計測値が目標圧力範囲に保たれるように圧縮機（41）の運転容量を調節する。
【０１２１】
本実施形態において、室外制御器（80）の冷媒回収制御部（86）は、冷凍機（10）の冷媒回収運転において、ガス側開閉弁（56）を開状態に保持する。そして、冷媒回収制御部（86）は、冷凍機（10）の冷媒回収運転の終了条件（即ち、冷媒回収制御動作の終了条件）が成立すると、ガス側開閉弁（56）を閉じて圧縮機（41）を停止させる。この冷媒回収制御部（86）の動作は、実施形態３の冷媒回収制御部（86）が行う動作と同じである。
【０１２２】
−実施形態４の効果−
本実施形態の冷凍機（10）において、冷媒回収運転の終了条件が成立すると、液側開閉弁（55）とガス側開閉弁（56）の両方が閉状態となり、冷媒回路（30）において室外回路（40）と室内回路（60）の間が完全に遮断される。このため、圧縮機（41）の停止後においても、室外回路（40）に回収された冷媒が室内回路（60）へ戻ることは無い。従って、本実施形態によれば、冷凍機（10）の冷媒回収運転が終了して圧縮機（41）が停止した後も、室内回路（60）における冷媒の残存量を少なく保つことができる。
【０１２３】
《その他の実施形態》
上記各実施形態の空気調和機（10）及び冷凍機（10）については、次のような変形例を適用してもよい。
【０１２４】
−第１変形例−
図７に示すように、実施形態１〜３の空気調和機（10）及び実施形態４の冷凍機（10）において、ガス側バイパス弁（53）は、開状態における開度が可変の調節弁であってもよい。本変形例の室外回路（40）では、弁体がステッピングモーターで駆動される電動弁が、ガス側バイパス弁（53）としてガス側バイパス配管（52）に設けられる。なお、図７は、実施形態１の空気調和機（10）に本変形例を適用したものを示す。
【０１２５】
本変形例の空気調和機（10）又は冷凍機（10）において、室外制御器（80）の冷媒回収制御部（86）は、液側バイパス弁（51）の開度を調節する動作と、ガス側バイパス弁（53）の開度を調節する動作とを、弁制御動作として行う。本変形例の冷媒回収制御部（86）が行う弁制御動作の一例を説明する。
【０１２６】
本変形例の冷媒回収制御部（86）は、ガス側バイパス弁（53）の開度を一定に保持した状態で、圧縮機（41）の吸入過熱度が目標吸入過熱度となるように、液側バイパス弁（51）の開度を調節する。そして、液側バイパス弁（51）の開度が所定の下限開度に達しても、圧縮機（41）の吸入過熱度または吐出過熱度が目標過熱度範囲の下限値（例えば、５℃−１℃）を下回る場合に、冷媒回収制御部（86）は、ガス側バイパス弁（53）の開度を所定値だけ拡大して保持し、その状態で液側バイパス弁（51）の開度調節を継続する。
【０１２７】
−第２変形例−
図８に示すように、実施形態１〜３の空気調和機（10）及び実施形態４の冷凍機（10）では、ガス側バイパス配管（52）及びガス側バイパス弁（53）が省略されていてもよい。本変形例の空気調和機（10）又は冷凍機（10）において、室外制御器（80）の冷媒回収制御部（86）は、冷媒回収制御動作中に行う弁制御動作として、液側バイパス弁（51）の開度を調節する動作を行う。なお、図８は、実施形態１の空気調和機（10）に本変形例を適用したものを示す。
【０１２８】
−第３変形例−
実施形態１〜４の室外制御器（80）の冷媒回収制御部（86）は、その冷媒回収制御動作において、圧縮機（41）から吐出される冷媒の過熱度が所定値以上となるように、液側バイパス弁（51）の開度を調節する動作を、弁制御動作として行うように構成されていてもよい。
【０１２９】
本変形例の冷媒回収制御部（86）は、弁制御動作において、圧縮機（41）の吐出過熱度（即ち、圧縮機（41）から吐出される冷媒の過熱度）が所定の目標過熱度範囲となるように、液側バイパス弁（51）の開度を調節する。つまり、冷媒回収制御部（86）は、圧縮機（41）の吐出過熱度が目標過熱度範囲の下限値以上で且つ上限値以下となるように、液側バイパス弁（51）の開度を調節する。
【０１３０】
具体的に、冷媒回収制御部（86）は、吐出温度センサ（70）及び吐出圧力センサ（75）の計測値を用いて、圧縮機（41）の吐出過熱度（即ち、圧縮機（41）から吐出される冷媒の過熱度）を算出する。そして、冷媒回収制御部（86）は、算出した圧縮機（41）の吐出過熱度が所定の目標過熱度範囲（例えば、５℃±１℃）となるように、液側バイパス弁（51）の開度を調節する。つまり、冷媒回収制御部（86）は、算出した圧縮機（41）の吐出過熱度が目標過熱度範囲の上限値（例えば、５℃＋１℃）を上回っている場合は液側バイパス弁（51）の開度を増やし、算出した圧縮機（41）の吐出過熱度が目標過熱度範囲の下限値（例えば、５℃−１℃）を下回っている場合は液側バイパス弁（51）の開度を減らす。なお、ここに示した目標過熱度範囲の数値は、単なる一例である。目標過熱度範囲は、例えば５℃以上１０℃以下の範囲であってもよい。
【０１３１】
本変形例によれば、冷媒回収運転中に圧縮機（41）へ吸入される冷媒の湿り度をある程度以下に抑えることが可能となる。その結果、湿り度の高い冷媒を吸入することに起因する圧縮機（41）の損傷を回避ながら圧縮機（41）を作動させ続けることが可能となり、室内回路（60）に残存する冷媒の量を充分に削減し、室内回路（60）から漏洩する冷媒の量を確実に低減することができる。
【０１３２】
−第４変形例−
実施形態１〜４の室外制御器（80）の冷媒回収制御部（86）は、冷媒回収制御動作を開始すると同時に弁制御動作を開始するのではなく、冷媒回収制御動作を開始後に所定の条件が成立すると弁制御動作を開始するように構成されていてもよい。
【０１３３】
例えば、本変形例の冷媒回収制御部（86）は、冷媒回収制御動作において、“吸入圧力センサ（76）の計測値ＰＬが所定の基準圧力ＰＲを下回る（ＰＬ＜ＰＲ）”という開始条件が成立すると弁制御動作を開始するように構成されていてもよい。
【０１３４】
ここで、冷媒回収運転の開始時には、室内熱交換器（61）に比較的多くの液冷媒が存在している場合がある。その場合、冷媒回収運転を開始してから暫くの間は、液側バイパス弁（51）とガス側バイパス弁（53）の両方が閉状態であっても、圧縮機（41）の吸入圧力はある程度以上に保たれ、従って、圧縮機（41）の吐出温度はある程度以下に保たれる。そこで、本変形例の冷媒回収制御部（86）は、液側バイパス弁（51）及びガス側バイパス弁（53）を閉状態に保持したまま冷媒回収制御動作を開始し、その後に上述した開始条件（ＰＬ＜ＰＲ）が成立すると弁制御動作を開始する。
【０１３５】
本変形例の冷媒回収制御部（86）は、弁制御動作において、開始条件（ＰＬ＜ＰＲ）が成立するとガス側バイパス弁（53）を開くと共に液側バイパス弁（51）の開度調節を開始するように構成されていてもよい。
【０１３６】
また、本変形例の冷媒回収制御部（86）は、弁制御動作において、開始条件（ＰＬ＜ＰＲ）が成立するとガス側バイパス弁（53）を閉じたままで液側バイパス弁（51）の開度調節を開始し、その後に所定の開弁条件が成立するとガス側バイパス弁（53）を開き、その状態で液側バイパス弁（51）の開度調節を継続するように構成されていてもよい。開弁条件としては、“液側バイパス弁（51）の開度が所定の下限開度に達しても、圧縮機（41）の吸入過熱度または吐出過熱度が目標過熱度（例えば、５℃−１℃）を下回る”という条件が考えられる。
【０１３７】
−第５変形例−
実施形態１〜４の室外制御器（80）の冷媒回収制御部（86）は、弁制御動作において、液側バイパス弁（51）を閉状態に保ったままガス側バイパス弁（53）を開き、その後に所定の条件が成立すると液側バイパス弁（51）の開度調節を開始するように構成されていてもよい。
【０１３８】
−第６変形例−
実施形態１〜３の空気調和機（10）では、室内空間の空気調和を行う室内機（20）に冷媒センサ（23）が設けられ、実施形態４の冷凍機（10）では、庫内空間の空気調和を行うユニットクーラ（25）に冷媒センサ（23）が設けられている。これに対し、冷媒センサ（23）は、室内機（20）又はユニットクーラ（25）の外部に配置されていてもよい。この場合、冷媒センサ（23）は、空気調和機（10）又は冷凍機（10）によって空気調和される屋内空間に設置され、冷媒センサ（23）の周辺の冷媒の濃度が所定の基準濃度を超えると、漏洩信号としての検出信号を出力する。
【０１３９】
−第７変形例−
実施形態１〜３の空気調和機（10）及び実施形態４の冷凍機（10）は、冷媒センサ（23）を備えていなくてもよい。実施形態１〜４の室外制御器（80）は、冷媒センサ（23）の検出信号を受信可能に構成されている。そして、本変形例の空気調和機（10）又は冷凍機（10）を建物等に据え付ける際には、空気調和機（10）又は冷凍機（10）とは別に用意した冷媒センサ（23）が屋内空間の適当な場所に設置され、その冷媒センサ（23）が空気調和機（10）又は冷凍機（10）に接続される。
【産業上の利用可能性】
【０１４０】
以上説明したように、本発明は、冷媒回路で冷媒を循環させて冷凍サイクルを行う冷凍装置について有用である。
【符号の説明】
【０１４１】
10    空気調和機（冷凍装置）
30    冷媒回路
40    室外回路（熱源側回路）
41    圧縮機
42    四方切換弁
43    室外熱交換器（熱源側熱交換器）
44    室外膨張弁（液側制御弁）
47    液側配管
48    ガス側配管
50    液側バイパス配管
51    液側バイパス弁
52    ガス側バイパス配管
53    ガス側バイパス弁
55    液側開閉弁（液側制御弁）
56    ガス側開閉弁（ガス側制御弁）
57    レシーバ（容器部材）
60    室内回路（利用側回路）
61    室内熱交換器（利用側熱交換器）
80    室外制御器（制御器）
【図１】
2019074222.tif 000003
【図２】
2019074222.tif 000004
【図３】
2019074222.tif 000005
【図４】
2019074222.tif 000006
【図５】
2019074222.tif 000007
【図６】
2019074222.tif 000008
【図７】
2019074222.tif 000009
【図８】
2019074222.tif 000010